(57)【特許請求の範囲】
【請求項１】
隣接する第１袋状領域及び第２袋状領域を備え、
前記第１袋状領域には、二剤混合硬化型組成物の第１剤が充填されており、前記第２袋状領域には、該二剤混合硬化型組成物の第２剤が充填されており、
前記第１袋状領域と前記第２袋状領域とは、外力により連通可能に独立しており、
それら２つの袋状領域を外力により連通させて、前記第１剤と前記第２剤とを混合させ、混合組成物を得る二剤混合容器であって、
前記第１袋状領域及び前記第２袋状領域には、それらを連通させて前記第１剤及び前記第２剤を混合させる際に膨出する凹んだ形態の膨らみ代が各々設けられており、
前記第１袋状領域及び前記第２袋状領域を交互に押圧することによって前記第１剤及び前記第２剤を連通した袋状領域内で移動させ、前記第１袋状領域の膨らみ代と前記第２袋状領域の膨らみ代とを交互に膨出させながら前記第１剤と前記第２剤とを混合させるようになっており、
前記第１袋状領域の膨らみ代は、第１内側膨らみ代単位及び第１外側膨らみ代単位から構成されており、前記第２袋状領域の膨らみ代は、第２内側膨らみ代単位及び第２外側膨らみ代単位から構成されており、前記第１内側膨らみ代単位と前記第２内側膨らみ代単位とは、正面視で、それらの膨出方向を対向させて配置されており、前記第１外側膨らみ代単位と前記第２外側膨らみ代単位とは、正面視で、それらの膨出方向を離反させて配置されており、前記第１袋状領域の膨らみ代及び前記第２袋状領域の膨らみ代は、正面視で、それぞれの膨出方向が一直線上に配置される二剤混合容器。
【請求項２】
前記第１袋状領域又は前記第２袋状領域には、外力により連通可能な吐出口が設けられており、
前記第１袋状領域又は前記第２袋状領域と前記吐出口とを連通させて、前記混合組成物を該吐出口から吐出するようになしてある請求項１記載の二剤混合容器。
【請求項３】
前記二剤混合硬化型組成物は、身体凹部内の汚れを除去するための身体凹部清浄剤である請求項１又は２に記載の二剤混合容器。
【請求項４】
前記身体凹部清浄剤は、身体凹部に注入された後、一定時間経過後に硬化し、該身体凹部内の汚れを同伴して該身体凹部から取り出し可能な形態となるものである請求項３記載の二剤混合容器。
【請求項５】
前記身体凹部は、へそ凹部であり、前記吐出口には、該へそ凹部への注入のための吐出具が装着される請求項３又は４に記載の二剤混合容器。
【請求項６】
前記第１袋状領域及び前記第２袋状領域は、前記膨らみ代を除く全体形状が、正面視で、上面及び底面をそれぞれ上方及び下方に配置した略三角柱形状を有しており、略三角柱形状の側面の部分に前記凹んだ形態の膨らみ代が設けられている請求項１〜５のいずれかに記載の二剤混合容器。
【発明の詳細な説明】
【技術分野】
【０００１】
本発明は、二剤混合硬化型組成物の第１剤と第２剤とを混合させる二剤混合容器に関する。
【背景技術】
【０００２】
下記特許文献１には、二つの隣接する区画を有する閉鎖部材にそれぞれ個々の成分が充填されており、前記二区画を連通させて二成分を混合せしめ、その後、ダクトから混合組成物を外部に吐出するようになしてある二成分製品用パックが記載されている。
【０００３】
【特許文献１】特表２００３−５２５８１７号公報
【発明の開示】
【発明が解決しようとする課題】
【０００４】
本発明の目的は、前記特許文献１における発明思想を更に発展させ、２つの袋状領域の間における２成分の円滑な移動を実現し、それらの混合効率を向上させることができる二剤混合容器を提供することにある。
【課題を解決するための手段】
【０００５】
本発明は、隣接する第１袋状領域及び第２袋状領域を備え、前記第１袋状領域には、二剤混合硬化型組成物の第１剤が充填されており、前記第２袋状領域には、該二剤混合硬化型組成物の第２剤が充填されており、前記第１袋状領域と前記第２袋状領域とは、外力により連通可能に独立しており、それら２つの袋状領域を外力により連通させて、前記第１剤と前記第２剤とを混合させ、混合組成物を得る二剤混合容器であって、前記第１袋状領域及び／又は前記第２袋状領域には、それらを連通させて前記第１剤及び前記第２剤を混合させる際に膨出する膨らみ代（ふくらみしろ）が設けられている二剤混合容器を提供することにより、上記目的を達成したものである。
【発明の効果】
【０００６】
本発明の二剤混合容器によれば、第１袋状領域と第２袋状領域との間における第１剤及び第２剤の円滑な移動を実現し、第１剤と第２剤との混合効率を向上させることができる。
【発明を実施するための最良の形態】
【０００７】
以下、本発明の二剤混合容器を、その好ましい一実施形態について図面を参照しながら説明する。
本実施形態の二剤混合容器１は、図１及び図２に示すように、隣接する第１袋状領域２Ａ及び第２袋状領域２Ｂを備え、第１袋状領域２Ａには、二剤混合硬化型組成物の第１剤Ｆ１が充填されており、第２袋状領域２Ｂには、該二剤混合硬化型組成物の第２剤Ｆ２が充填されており、第１袋状領域２Ａと第２袋状領域２Ｂとは、外力により連通可能に独立しており、それら２つの袋状領域（２Ａ，２Ｂ）を外力により連通させて、第１剤Ｆ１と第２剤Ｆ２とを混合させ、混合組成物Ｆを得る二剤混合容器である。袋状領域２Ａ及び第２袋状領域２Ｂには、それらを連通させて第１剤Ｆ１及び第２剤Ｆ２を混合させる際に、それぞれ膨出する第１膨らみ代８Ａ及び第２膨らみ代８Ｂが設けられている。
【０００８】
本実施形態の二剤混合容器について詳細に説明する。
本実施形態の二剤混合容器１には、図１及び図２に示すように、第１袋状領域２Ａ及び第２袋状領域２Ｂが、正面に向けて突出するように隣接して設けられている。第２袋状領域２Ｂには、吐出口３がその吐出方向を下方に向けて設けられている。
【０００９】
第１袋状領域２Ａ及び第２袋状領域２Ｂは、図１及び図２に示すように、基材シート４に、それぞれ、第１収容部５Ａ及び第２収容部５Ｂを有する柔軟なフィルム５を融着させて形成されている。
基材シート４は、二剤混合容器１の基材となるシートで、基材シート４の正面視形状は、四隅が丸みを帯びた矩形状となっている。
【００１０】
基材シート４としては、フィルム５と融着して、内部に二剤混合硬化型組成物の第１剤Ｆ１及び第２剤Ｆ２がそれぞれ充填された第１袋状領域２Ａ及び第２袋状領域２Ｂを形成するとき、並びに本発明の二剤混合容器に外力を加えて使用するときに、基材シート４が破断することのない強度を有するものであれば種々のものを用いることができる。例えば、ポリエチレン、ポリプロピレン、ポリエステル、ポリアミド、エチレン−酢酸ビニル等の合成樹脂を単独で又は混合物としてシート状にしたものを用いることができる。また、２以上のシートを積層したラミネートシートを用いることもできる。
基材シート４の厚さは、好ましくは４０μｍ〜２００μｍである。本実施形態においては、基材シート４としてポリアミド（厚さ３０μｍ）とポリプロピレン（厚さ６０μｍ）のラミネートシートを用いている。
【００１１】
フィルム５は、図１及び図２に示すように、基材シート４に部分的に融着されて、第１袋状領域２Ａ及び第２袋状領域２Ｂを形成するもので、第１袋状領域２Ａ及び第２袋状領域２Ｂにそれぞれ対応する第１収容部５Ａ及び第２収容部５Ｂを有している。
第１収容部５Ａ（第１袋状領域２Ａ）は、第１膨らみ代８Ａを除く全体形状が、正面視で、上面及び底面をそれぞれ上方及び下方に配置した略三角柱形状を有している。第２収容部５Ｂ（第２袋状領域２Ｂ）は、第１収容部５Ａと第２収容部５Ｂとの中間線を対称線として、第１収容部５Ａと線対称の形状を有している。
【００１２】
フィルム５としては、内部に二剤混合硬化型組成物の第１剤Ｆ１及び第２剤Ｆ２がそれぞれ充填された第１袋状領域２Ａ及び第２袋状領域２Ｂを形成するとき、並びに本発明の二剤混合容器に外力を加えて使用するときに、フィルム５が破断することのない強度を有すると共に、第１袋状領域２Ａ又は第２袋状領域２Ｂに外力を付与すると容易に変形する柔軟性を有しているものであれば種々のものを用いることができる。例えば、ポリエチレン、ポリプロピレン、ポリエステル、ポリアミド、エチレン−酢酸ビニル等の合成樹脂を単独で又は混合物としてシート状にしたものを用いることができる。また、２以上のシートを積層したラミネートシートを用いることもできる。
【００１３】
フィルム５の原体の厚さは、好ましくは４０μｍ〜２５０μｍである。フィルム５における第１収容部５Ａ及び第２収容部５Ｂは、対応する形状を有する金型を用いた真空成型や圧空成型などにより形成することができる。第１袋状領域２Ａ及び第２袋状領域２Ｂをそれぞれ形成する第１収容部５Ａ及び第２収容部５Ｂのフィルムの厚さは、原体フィルムの厚さより幾分薄くなり、４０μｍ〜１５０μｍ程度が好ましい。
本実施形態においては、フィルム５の原体として、ポリアミド（厚さ３０μｍ）とポリプロピレン（厚さ１７０μｍ）のラミネートシートを用いており、第１収容部５Ａ及び第２収容部５Ｂのフィルムの厚さは約８０μｍである。
【００１４】
基材シート４とフィルム５とは、領域間シール部Ｓ１〔図２（ａ）における右下がり破線ハッチング部分〕及び外周シール部Ｓ２〔図２（ａ）における散点ハッチング部分〕により、第１袋状領域２Ａ、第２袋状領域２Ｂ及び吐出口３以外の部分において融着されている。
領域間シール部Ｓ１は、第１袋状領域２Ａと第２袋状領域２Ｂとの間の領域に形成されているもので、外力により剥離可能となっている（詳細は後述）。また、外周シール部Ｓ２は、基材シート４における、第１袋状領域２Ａ、第２袋状領域２Ｂ、吐出口３及び領域間シール部Ｓ１以外の領域に形成されているもので、通常の外力では剥離しない十分なシール強度で接合されている（詳細は後述）。
【００１５】
第１袋状領域２Ａには、二剤混合硬化型組成物の第１剤Ｆ１が充填されており、第２袋状領域２Ｂには、二剤混合硬化型組成物の第２剤Ｆ２が充填されている。尚、第１袋状領域２Ａ及び第２袋状領域２Ｂには、余分な空気が極力封入されていないことが好ましい。
また、第１袋状領域２Ａと第２袋状領域２Ｂとは、外力により連通可能に独立している。具体的には、第１袋状領域２Ａと第２袋状領域２Ｂとは、それらの間の領域に形成されている領域間シール部Ｓ１により隔離されている。そして、第１袋状領域２Ａ及び／又は第２袋状領域２Ｂを押圧することにより、領域間シール部Ｓ１に基材シート４とフィルム５とを剥離する力が加わると、基材シート４とフィルム５とが剥離して、第１袋状領域２Ａと第２袋状領域２Ｂとを連通する領域間連通路６１〔図５（ａ）参照〕が形成されるようになっている。
【００１６】
第１袋状領域２Ａ（第１収容部５Ａ）及び第２袋状領域２Ｂ（第２収容部５Ｂ）には、それらを連通させて第１剤Ｆ１及び第２剤Ｆ２をそれぞれ別の袋状領域に移動させることにより、それぞれ膨出する第１膨らみ代８Ａ及び第２膨らみ代８Ｂが設けられている。
第１膨らみ代８Ａ及び第２膨らみ代８Ｂは、第１袋状領域２Ａと第２袋状領域２Ｂとの連通前においては、それぞれ、第１袋状領域２Ａ（第１収容部５Ａ）及び第２袋状領域２Ｂ（第２収容部５Ｂ）において、凹んだ形態とされている。
【００１７】
第１膨らみ代８Ａは、第１膨らみ代単位（内側）８１Ａ及び第１膨らみ代単位（外側）８２Ａから構成されており、第２膨らみ代８Ｂは、第２膨らみ代単位（内側）８１Ｂ及び第２膨らみ代単位（外側）８２Ｂから構成されている。また、第１膨らみ代単位（内側）８１Ａと第２膨らみ代単位（内側）８１Ｂとは、正面視で、それらの膨出方向を対向させて配置されており、第１膨らみ代単位（外側）８２Ａと第２膨らみ代単位（外側）８２Ｂとは、正面視で、それらの膨出方向を離反させて配置されている。そのため、第１膨らみ代８Ａ及び第２膨らみ代８Ｂは、正面視で、それぞれの膨出方向が一直線上に配置される。
【００１８】
このように第１膨らみ代８Ａを構成すると、それが膨出した状態における第１袋状領域２Ａの容積Ｖ１と、それが凹んだ状態における第１袋状領域２Ａの容積Ｖ０との差（Ｖ１−Ｖ０）を大きく設定することができる。同様に、第２袋状領域２Ｂにおいても、容積の差（Ｖ１−Ｖ０）を大きく設定することができる。
【００１９】
このように、第１袋状領域２Ａ及び第２袋状領域２Ｂは、それぞれ、第１膨らみ代８Ａ及び第２膨らみ代８Ｂが膨出することにより、容積が増大するようになっている。
第１袋状領域２Ａについて、第１膨らみ代８Ａが凹んだ状態における容積Ｖ０は、本発明の二剤混合容器の使用目的に応じて適宜設定されるが、身体凹部清浄剤の用途においては、好ましくは２ｍＬ〜５ｍＬである。第１袋状領域２Ａにおける前記容積Ｖ０の好ましい範囲は、第２袋状領域２Ｂについても適用される。
第１袋状領域２Ａ及び第２袋状領域２Ｂにそれぞれ充填される二剤混合硬化型組成物の第１剤Ｆ１及び第２剤Ｆ２の体積は、それぞれ第１袋状領域２Ａ及び第２袋状領域２Ｂの容積に応じて、適宜設定することができる。
【００２０】
第１袋状領域２Ａについて、第１膨らみ代８Ａ〔第１膨らみ代単位（内側）８１Ａ及び第１膨らみ代単位（外側）８２Ａの両方〕が膨出した状態における容積Ｖ１と、前記容積Ｖ０との差（Ｖ１−Ｖ０）は、好ましくは０．２ｍＬ〜１０ｍＬである。また、前記容積Ｖ１と前記容積Ｖ０との比率（Ｖ１／Ｖ０）は、好ましくは１．１〜３である。
第１袋状領域２Ａにおける容積の差（Ｖ１−Ｖ０）の好ましい範囲及び容積の比率（Ｖ１／Ｖ０）の好ましい範囲は、第２袋状領域２Ｂについても適用される。
【００２１】
第１袋状領域２Ａについて、第１膨らみ代単位（内側）８１Ａのみが膨出した状態における容積Ｖ２と、前記容積Ｖ０との差（Ｖ２−Ｖ０）は、好ましくは０ｍＬ〜１０ｍＬである。また、前記容積Ｖ２と前記容積Ｖ０との比率（Ｖ２／Ｖ０）は、好ましくは１〜３である。
第１袋状領域２Ａについて、第１膨らみ代単位（外側）８２Ａのみが膨出した状態における容積Ｖ３と、前記容積Ｖ０との差（Ｖ３−Ｖ０）は、好ましくは０ｍＬ〜１０ｍＬである。また、前記容積Ｖ３と前記容積Ｖ０の比率（Ｖ３／Ｖ０）は、好ましくは１〜３である。
第１袋状領域２Ａにおける容積の差（Ｖ２−Ｖ０）及び（Ｖ３−Ｖ０）の好ましい範囲並びに容積の比率（Ｖ２／Ｖ０）及び（Ｖ３／Ｖ０）の好ましい範囲は、第２袋状領域２Ｂについても適用される。
【００２２】
次に、二剤混合容器１のシール部について詳述する。
領域間シール部Ｓ１の幅〔図２（ａ）における上下方向の幅：第１袋状領域２Ａから第２袋状領域２Ｂに向かう方向と直交する方向の幅〕は、正面視で、第１袋状領域２Ａの幅〔図２（ａ）における上下方向の幅〕及び第２袋状領域２Ｂの幅〔図２（ａ）における上下方向の幅〕と略同じになっている。即ち、領域間シール部Ｓ１は、第１袋状領域２Ａと第２袋状領域２Ｂとの間の領域の全幅に亘って設けられている。
【００２３】
領域間シール部Ｓ１がこのように前記領域の全幅に亘って設けられていると、領域間シール部Ｓ１の剥離による第１袋状領域２Ａと第２袋状領域２Ｂとの連通が効果的に行われ、連通した袋状領域（２Ａ，２Ｂ）において、第１剤Ｆ１と第２剤Ｆ２との混合が容易となる。
領域間シール部Ｓ１の形成方法に制限はないが、例えば、基材シート４に、ＥＶＡ系パートコート剤等のコート剤を塗布し、その乾燥後にフィルム５を重ね合わせ、基材シート４とフィルム５とをヒートシール接合することにより形成することができる。
【００２４】
領域間シール部Ｓ１のシール強度は、取り扱い時、輸送時等において、第１袋状領域２Ａのフィルム５の第１収容部５Ａ又は第２袋状領域２Ｂのフィルム５の第２収容部５Ｂが意図せず押圧された状況において、領域間シール部Ｓ１が剥離せず、且つ第１袋状領域２Ａ内の第１剤Ｆ１と第２袋状領域２Ｂ内の第２剤Ｆ２との混合時において、第１袋状領域２Ａのフィルム５の第１収容部５Ａ及び／又は第２袋状領域２Ｂのフィルム５の第２収容部５Ｂを意図的に押圧した際には、領域間シール部Ｓ１が剥離して、領域間連通路６１が形成される大きさとなっていれば、適宜の大きさに設定することができる。
具体的には、領域間シール部Ｓ１のシール強度は、好ましくは５０〜６００ｇｆ／１５ｍｍ、更に好ましくは１００〜４００ｇｆ／１５ｍｍである。ここに、シール強度の測定は、ＪＩＳ  Ｋ  ６８５４−２に準じた１８０度剥離試験により、１５ｍｍ幅の試験片を用いて行う。
【００２５】
また、外周シール部Ｓ２のシール強度は、第１シール部Ｓ１のシール強度よりも大きく、使用時において剥離しないことを前提とした大きさとなっている。具体的には、外周シール部Ｓ２のシール強度は、好ましくは２０００ｇｆ／１５ｍｍ以上、更に好ましくは２５００ｇｆ／１５ｍｍ以上である。
【００２６】
次に、吐出口３について詳述する。
第２袋状領域２Ｂには、図１及び図２に示すように、吐出口３が、外力により連通可能に設けられている。詳細には、第２袋状領域２Ｂと吐出口３とは、吐出口３に設けられた、外力により剥離又は破壊可能なシール手段（図示せず）により隔離され、このシール手段が剥離又は破壊されることにより連通可能となっている。
また、吐出口３は、正面視で、その吐出方向が、第１袋状領域２Ａにおける第１膨らみ代８Ａ及び第２袋状領域２Ｂにおける第２膨らみ代８Ｂの膨出方向と直交するように設けられている。
【００２７】
吐出口３は、合成樹脂、金属等から形成することができる。本実施形態においては、基材シート４及びフィルム５との接合性、外観、触感等を考慮し、ポリプロピレン（ＰＰ）等の合成樹脂から射出成形（インジェクション成形）により一体的に形成されている。
【００２８】
前述の構成を有する吐出口３は、基材シート４とフィルム５とにより吐出口本体３２の本体外周部が挟持された形態で、基材シート４及びフィルム５に接合固定されている。吐出口３と基材シート４及びフィルム５との接合手段には制限はないが、例えば、ヒートシール接合、接着等により接合することができる。
【００２９】
次に、吐出具７について詳述する。
吐出口３の吐出パイプ３１の内周には、図３に示すように、吐出具７が装着されるようになっている。本実施形態における吐出具７は、身体凹部への挿入に伴って、該身体凹部を徐々に拡開し得る構造を有しており、そのため、へそ等の身体凹部の開口部を拡開して、二剤混合硬化型組成物である身体凹部清浄剤（詳細は後述）の注入をより容易としている。
【００３０】
吐出具７は、図４に示すように、円筒状の筒状部７３と、筒状部７３の外周面から延出して設けられたつば部７４と、筒状部７３の外周面から所定間隔で延設された複数個のフィン部７５とを備えている。
筒状部７３の下端部７３Ｂには、剤流入口７８に連通する剤排出口７６が設けられている。
吐出具７は、合成樹脂、金属等から形成することができる。本実施形態においては、外観、触感等を考慮し、ポリエチレン等の合成樹脂から射出成形（インジェクション成形）により一体的に形成されている。
【００３１】
つば部７４は、筒状部７３の下端部７３Ｂから上端部７３Ａに向けて凹んだお椀状の形状を有している。
フィン部７５は、筒状部７３の外周面において、筒状部７３の下端部７３Ｂ近傍からつば部７４の下面に亘って、該外周面からの高さが徐々に高くなるように６０度間隔で６個設けられている。フィン部７５は、吐出具７を所定方向とは逆方向に、即ち剤排出口７６から吐出口３に挿入しようとした際の逆さ挿入防止機構としても作用する。
【００３２】
つば部７４の面方向の大きさ及び形状は、へそ凹部の開口部を閉蓋し、吐出具７のへそ凹部への過挿入を防止し得る大きさ及び形状となっている。フィン部７５の大きさ及び形状は、へそ凹部における窄まった開口部を、吐出具７の挿入に伴って徐々に拡開できる大きさ及び形状となっている。
【００３３】
つば部７４の最下端（周縁部）と筒状部７３の下端部７３Ｂとの距離Ｌ１〔図４（ａ）参照〕は、へそ凹部の深さより若干短くなっており、具体的には１０〜１５ｍｍが好ましい。つば部７４の最上端と上端部先端７１の先端との距離Ｌ２〔図４（ａ）参照〕は、８〜１５ｍｍが好ましい。お椀状のつば部７４における凹み深さＬ３〔つば部７４の最下端とつば部７４の凹みの最深部との距離、図４（ｄ）参照〕は、身体凹部清浄剤をへそ凹部内に注入した際に、へそ凹部から溢れた身体凹部清浄剤をストックし得る深さを有していればよく、具体的には０〜５ｍｍが好ましい。
【００３４】
次に、本発明の二剤混合容器に収納される二剤混合硬化型組成物について詳述する。二剤混合硬化型組成物としては、例えば、シリコーンゴム系組成物、エポキシ系組成物、ウレタン系組成物、アルギン酸系ゲル化組成物等が挙げられる。
本実施形態においては、身体凹部に注入された後、一定時間経過後に硬化し、該身体凹部内の汚れを同伴して該身体凹部から取り出し可能な形態となる組成物が用いられている。特に、二剤混合硬化型の液状シリコーンゴム組成物が好ましく用いられる。
【００３５】
二剤混合硬化型の液状シリコーンゴム組成物としては、例えば、第１剤がジオルガノポリシロキサンを主剤とする反応性シリコーンベースからなり、第２剤が架橋剤を含有する硬化剤ベースからなるからなるものが挙げられる。かかる二剤混合硬化型組成物は、更に、硬化触媒を第１剤又は第２剤に含有していてもよい。
第１剤におけるジオルガノポリシロキサンとしては、分子内に２個以上の水酸基を有するヒドロキシル化ジオルガノポリシロキサン又は分子内に２個以上のビニル基を有するビ
ニル化ジオルガノポリシロキサンが用いられ、いずれを使用するかに応じて架橋剤、硬化触媒も選定される。
【００３６】
次に、本実施形態の二剤混合容器１の一使用方法について、図５〜図１１を参照しながら説明する。
先ず、図５に示すように、手指Ｈを用いて、第１袋状領域２Ａ内の第１剤Ｆ１が第２袋状領域２Ｂに向けて移動するように、第１袋状領域２Ａのフィルム５の第１収容部５Ａを押圧する。尚、図５（ｂ）においては、吐出口３の図示を省略している。
この押圧により、第１剤Ｆ１が領域間シール部Ｓ１に向けて押し出され、領域間シール部Ｓ１において基材シート４とフィルム５とを剥離する力が加わる。その結果、領域間シール部Ｓ１が剥離し、領域間連通路６１が形成されて、第１袋状領域２Ａと第２袋状領域２Ｂとが連通する。
【００３７】
こうして、第１袋状領域２Ａ内の第１剤Ｆ１と第２袋状領域２Ｂ内の第２剤Ｆ２とが領域間連通路６１を介して混合可能となる。即ち、図６に示すように、第１袋状領域２Ａ及び第２袋状領域２Ｂを左右の手指Ｈで交互に押圧することによって、連通した袋状領域（２Ａ，２Ｂ）内で第１剤Ｆ１と第２剤Ｆ２とを混合する。尚、図６（ｂ）及び（ｃ）においては、吐出口３の図示を省略している。
【００３８】
ここで、第１剤Ｆ１及び第２剤Ｆ２が、連通した袋状領域（２Ａ，２Ｂ）内を移動し、第１膨らみ代８Ａと第１膨らみ代８Ａとが交互に膨出する。そのため、第１剤Ｆ１及び第２剤Ｆ２が、連通した袋状領域（２Ａ，２Ｂ）内を円滑に移動し、第１剤Ｆ１と第２剤Ｆ２とを容易に且つ十分に混合することができる。
【００３９】
次に、図７に示すように、吐出口３の吐出パイプ３１に、吐出具７を上端部先端７１から挿入して装着する。
このようにして、吐出口３に吐出具７が装着される。
【００４０】
次に、図８に示すように、吐出口３に装着された吐出具７を、つば部７４がへそ凹部Ｎ近傍の腹の表面に当接するまで、へそ凹部Ｎに挿入する。この挿入過程において、窄まっているへそ凹部Ｎの開口部が、フィン部７５で押圧されて徐々に拡開される。
【００４１】
この状態下で、図９に示すように、二剤混合容器１を第１袋状領域２Ａと第２袋状領域２Ｂとの間を折り畳み線として、換言すると領域間連通路６１を折り畳み線として折り畳む。このとき、連通した袋状領域（２Ａ，２Ｂ）内で混合された混合組成物Ｆを、予め吐出口３に近い領域である第２袋状領域２Ｂ側に片寄せておいてから折り畳むのが好ましい。
【００４２】
そして、図１０に示すように、対向する基材シート４の上から手指Ｈで押圧することにより、第２袋状領域２Ｂを挟圧する。その結果、第２袋状領域２Ｂ内の混合組成物Ｆは、吐出口３に設けられた前述のシール手段が剥離又は破壊されることにより、吐出口３に向けて押し出され、吐出口３の吐出パイプ３１から排出される。吐出口３から排出された混合組成物Ｆは、更に、吐出具７において、剤流入口７８から流入して剤排出口７６から吐出され、へそ凹部Ｎの内部に注入される。
【００４３】
そして、混合組成物Ｆを、吐出具７の先端部である剤排出口７６を被覆するまで注入し、そのまま所定時間放置して硬化させる。その硬化時間は、身体凹部清浄剤Ｆの組成及び物性や、へそ凹部Ｎへのその注入量等により異なる。身体凹部清浄剤Ｆ（混合組成物）は、硬化するとゲル状又はゴム状になり、吐出具７と一体化する。
【００４４】
その後、図１１に示すように、二剤混合容器１における折り畳んだ基材シート４を摘み、硬化した身体凹部清浄剤Ｆを吐出具７と共にへそ凹部Ｎから引き抜く。その結果、へそ凹部Ｎの底部周辺に付着していたへそのゴマ（汚れ）Ｄが、身体凹部清浄剤Ｆに同伴した状態で、へそ凹部Ｎから除去される。
【００４５】
以上の説明の通り、本実施形態の二剤混合容器１においては、第１袋状領域２Ａ及び第２袋状領域２Ｂには、それぞれ、膨出可能な第１膨らみ代８Ａ及び第２膨らみ代８Ｂが設けられている。そのため、第１袋状領域２Ａと第２袋状領域２Ｂとを連通させて第１剤Ｆ１及び第２剤Ｆ２をそれぞれ別の袋状領域に移動させた際に、第１膨らみ代８Ａ及び第２膨らみ代８Ｂが膨出するため、第１袋状領域２Ａ及び第２袋状領域２Ｂは、それぞれ容積が増大する。その結果、第１袋状領域２Ａと第２袋状領域２Ｂとの間において第１剤Ｆ１及び第２剤Ｆ２が円滑に移動し、第１剤Ｆ１と第２剤Ｆ２との混合効率を向上させることができる。
【００４６】
特に、本実施形態の二剤混合容器１においては、第１膨らみ代８Ａ及び第２膨らみ代８Ｂは、第１袋状領域２Ａと第２袋状領域２Ｂとの連通前においては、それぞれ、第１袋状領域２Ａと第２袋状領域２Ｂにおいて、凹んだ形態とされている。そのため、第１袋状領域２Ａにおいて第１膨らみ代８Ａが膨出した状態における容積Ｖ１と第１膨らみ代８Ａが凹んだ状態における容積Ｖ０との差（Ｖ１−Ｖ０）が大きく、第２袋状領域２Ｂにおいても同様であるため、第１剤Ｆ１と第２剤Ｆ２との混合効率を一層向上させることができる。
また、第１膨らみ代８Ａ及び第２膨らみ代８Ｂが、第１袋状領域２Ａと第２袋状領域２Ｂとの連通前においては、それぞれ凹んだ形態とされているため、膨出した形態の袋状領域を凹ませてから該袋状領域に二剤混合硬化型組成物を充填する構成の二剤混合容器に比して、第１袋状領域２Ａ及び第２袋状領域２Ｂを安定的に形成できるという利点もある。
【００４７】
更に、本実施形態の二剤混合容器１においては、第１膨らみ代８Ａの一部を構成する第１膨らみ代単位（内側）８１Ａと、第２膨らみ代８Ｂの一部を構成する第２膨らみ代単位（内側）８１Ｂとが、それらの膨出方向を対向させて配置されており、また、第１膨らみ代８Ａの一部を構成する第１膨らみ代単位（外側）８２Ａと、第２膨らみ代８Ｂの一部を構成する第２膨らみ代単位（外側）８２Ｂとが、それらの膨出方向を離反させて配置されている。そのため、第１袋状領域２Ａと第２袋状領域２Ｂとの間において第１剤Ｆ１及び第２剤Ｆ２が移動する際に、それらの移動ロスがなく、混合効率が高い。
【００４８】
また、本実施形態の二剤混合容器１を用い、図５〜図１１に示す使用方法でへそ掃除を行うと、へそ凹部ＮからへそのゴマＤを簡便な操作で除去することができる。その際に、爪で引っ掻いたり、綿棒で掻き出す場合に比して、へそ凹部Ｎの内表面に傷を付けたり、腹膜に刺激を与えることがない。
具体的には、第１袋状領域２Ａと第２袋状領域２Ｂとを外力により連通させて、第１剤Ｆ１と第２剤Ｆ２とを混合させ、混合組成物Ｆを吐出口３を介して吐出具７からへそ凹部Ｎに吐出するようになしてあるため、第１剤Ｆ１と第２剤Ｆ２との混合操作及び混合組成物Ｆの吐出操作を一連の操作で簡便に行うことができる。
【００４９】
しかも、吐出口３に吐出具７を装着させているため、吐出具７をへそ凹部Ｎに挿入するだけでへそ凹部Ｎの開口部を拡開して身体凹部清浄剤Ｆを注入し易くでき、更に、へそ凹部Ｎ内に身体凹部清浄剤Ｆを効率的に注入できるため、へそ凹部Ｎの拡開操作及び身体凹部清浄剤組成物Ｆのへそ凹部Ｎへの注入操作が簡便である。
【００５０】
次に、第１膨らみ代８Ａ及び第２膨らみ代８Ｂの形態及び配置等を変更した別の実施形態について説明する。別の実施形態については、主として、図１に示す実施形態とは異なる点を説明し、同じ構成については、同じ符号を付し、説明を省略する。特に説明しない点については、図１に示す実施形態についての説明が適宜適用される。以下に示す別の実施形態の二剤混合容器においても、図１に示す実施形態の二剤混合容器と同様の効果が奏される。
【００５１】
図１２に示す実施形態の二剤混合容器１は、図１に示す実施形態の二剤混合容器に比して、第１膨らみ代８Ａが４個の第１膨らみ代単位８１Ａ、８２Ａ、８３Ａ及び８４Ａから構成され、第２膨らみ代８Ｂが４個の第２膨らみ代単位８１Ｂ、８２Ｂ、８３Ｂ及び８４Ｂから構成されている点が主として異なる。
【００５２】
詳述すると、図１２に示す実施形態の二剤混合容器１においては、第１膨らみ代単位（内側）８１Ａと第２膨らみ代単位（内側）８１Ｂとが、正面視でそれらの膨出方向を対向させて配置されており、第１膨らみ代単位（外側）８２Ａと第２膨らみ代単位（外側）８２Ｂとが、正面視でそれらの膨出方向を離反させて配置されている。また、第１膨らみ代単位（上方）８３Ａ及び第２膨らみ代単位（上方）８３Ｂが、正面視で上方に膨出するように配置されており、第１膨らみ代単位（下方）８４Ａ及び第２膨らみ代単位（下方）８４Ｂが、正面視で下方に膨出するように配置されている。
【００５３】
このように構成された図１２に示す実施形態の二剤混合容器１によれば、第１膨らみ代８Ａが４個の第１膨らみ代単位８１Ａ、８２Ａ、８３Ａ及び８４Ａから構成され、第２膨らみ代８Ｂが４個の第２膨らみ代単位８１Ｂ、８２Ｂ、８３Ｂ及び８４Ｂから構成されているため、第１袋状領域２Ａについて、第１膨らみ代８Ａが膨出した状態における容積Ｖ１と、第１膨らみ代８Ａが凹んだ状態における容積Ｖ０との差（Ｖ１−Ｖ０）を一層大きくすることができ、第２袋状領域２Ｂについても同様に容積の差を一層大きくすることができる。
【００５４】
図１３に示す更に別の実施形態の二剤混合容器１は、図１に示す実施形態の二剤混合容器に比して、第１膨らみ代８Ａが、正面視で前方に膨出する１個の第１膨らみ代単位（前方）８５Ａから構成されており、第２膨らみ代８Ｂが、正面視で前方に膨出する１個の第２膨らみ代単位（前方）８５Ｂから構成されている。
このように構成された図１３に示す実施形態の二剤混合容器１においても、第１膨らみ代８Ａを構成する第１膨らみ代単位（前方）８５Ａ及び第２膨らみ代８Ｂを構成する第２膨らみ代単位（前方）８５Ｂが膨出可能であるため、第１袋状領域２Ａと第２袋状領域２Ｂとの間において第１剤Ｆ１及び第２剤Ｆ２を円滑に移動することができる。
【００５５】
吐出具７には、図１４に示すように、使用者の衣類Ｍに止着するためのクリップＣを設けることができる。クリップＣの構成は、衣類Ｍに止着することができれば制限されないが、例えば、Ｕ字状断面を有し、対向辺Ｃ１，Ｃ１間で衣類Ｍを挟持する形態のものが挙げられる。
このような構成の吐出具７によれば、クリップＣの対向辺Ｃ１，Ｃ１間で衣類Ｍ（例えば、ズボンのウェスト部）を挟持することにより、混合組成物をへそ凹部Ｎに吐出した後、二剤混合容器１が使用者の腹の上に安定した状態で配設されるため、手で保持し続ける必要がない。尚、クリップＣは、二剤混合容器１に設けてもよい。
【００５６】
図１５に示す別の形態の吐出具７は、図４に示す吐出具７に比して、筒状部７３の上端部７３Ａ側の形状が異なる。詳述すると、筒状部７３における上端部７３Ａ側は、図１５（ａ）に示すように、つば部７４から、筒状部７３の下端部７３Ｂに向かう方向とは逆方向に延出し、９０°屈曲している。
【００５７】
このような構成の吐出具７によれば、図１５（ｂ）に示すように、吐出口３に装着した後、へそ凹部Ｎに挿入すると、基材シート４の面方向が、使用者の腹の上に略平行に配設されることになる。従って、図１５に示す吐出具７によれば、混合組成物をへそ凹部Ｎに吐出した後、二剤混合容器１が横になった使用者の腹の上又は衣類Ｍの上に安定した状態で配設されるため、手で保持し続ける必要がない。更に両面テープなどを用いて、基材シート４と使用者の腹又は衣類Ｍとを簡易接着させることで、配設状態を更に安定化させることができる。
【００５８】
尚、図１４に示す吐出具７及び図１５に示す吐出具７においては、必要に応じ、混合組成物がある程度硬化するまでは二剤混合容器１を手で保持してもよい。また、二剤混合容器１及び吐出具７とは別体のクリップ（図示せず）を用いて、二剤混合容器１又は吐出具７と衣類Ｍとを止着して、二剤混合容器１の配設状態を更に安定化させることができる。      
【００５９】
本発明の二剤混合容器は、前述した実施形態に制限されることなく、本発明の趣旨を逸脱しない限り、適宜変更が可能である。
膨らみ代は、前述の実施形態においては第１袋状領域及び第２袋状領域の両方に設けられているが、第１袋状領域又は第２袋状領域の何れか一方のみに設けられていてもよい。
第１袋状領域２Ａ及び第２袋状領域２Ｂの形状は、前述の実施形態における形状に制限されない。例えば、半球状、円錐状、円錐台状、矩形状、四角錘状等の形状とすることができる。第１袋状領域２Ａ及び第２袋状領域２Ｂの配置位置も、前述の実施形態における配置位置に制限されない。
【００６０】
第１袋状領域及び第２袋状領域は、基材シートに、第１収容部及び第２収容部を有する柔軟なフィルムを融着させて形成されたものに制限されない。
前記実施形態におけるフィルム５は、第１収容部５Ａ及び第２収容部５Ｂの両方を有しているが、第１収容部５Ａ又は第２収容部５Ｂの一方のみを有するフィルムをそれぞれ基材シート４に融着させて、第１袋状領域２Ａ及び第２袋状領域２Ｂを形成することができる。
【００６１】
第１膨らみ代８Ａ及び第２膨らみ代８Ｂの配置位置は、前述の実施形態における配置位置に制限されない。例えば、図１に示す実施形態の二剤混合容器について、第１膨らみ代単位（内側）８１Ａ及び第２膨らみ代単位（内側）８１Ｂをなくした配置位置や、第１膨らみ代単位（外側）８２Ａ及び第２膨らみ代単位（外側）８２Ｂをなくした配置位置とすることができる。第１膨らみ代８Ａ及び第２膨らみ代８Ｂの形状も、前述の実施形態における形状に制限されない。
【００６２】
吐出口３は、第１袋状領域２Ａと連通した形態で設けることができ、その場合には、第２袋状領域２Ｂと吐出口３とが連通した形態における説明が適宜適用される。
吐出口３は、その吐出方向を、正面視で、第１袋状領域２Ａにおける第１膨らみ代８Ａ及び第２袋状領域２Ｂにおける第２膨らみ代８Ｂの膨出方向と平行するように設けることもできる。
【００６３】
前記実施形態の二剤混合容器１においては、吐出口３を備え、吐出口３から混合組成物Ｆを吐出することにより、混合組成物Ｆを外部に排出しているが、混合組成物Ｆを外部に排出する構成は、吐出口３に制限されない。例えば、二剤混合容器１に予めスリット状に形成された薄肉部を圧力により割き開いたり、二剤混合容器１を刃で切断する等して、スリット状の排出口を形成し、該排出口から、混合組成物Ｆを排出する構成とすることができる。
【００６４】
吐出具７は、吐出口３に装着され、その状態で、へそ凹部Ｎへ身体凹部清浄剤（混合組成物）Ｆを注入できるものであれば、前記実施形態における構造のものに制限されない。
【００６５】
本発明の二剤混合容器の使用方法は、前述した使用方法に制限されない。
第１袋状領域２Ａと第２袋状領域２Ｂとを連通させる際には、第１袋状領域２Ａ及び第２袋状領域２Ｂの両方に外力を付与してもよく、第１袋状領域２Ａ又は第２袋状領域２Ｂの一方のみに外力を付与してもよい。
また、第１剤Ｆ１と第２剤Ｆ２との混合は、第１袋状領域２Ａ内及び第２袋状領域２Ｂ内の両方を使用して行うのが好ましいが、第１袋状領域２Ａ内のみ又は第２袋状領域２Ｂ内のみで行うこともできる。
【００６６】
身体凹部清浄剤Ｆをへそ凹部Ｎ内に注入した後、吐出具７をへそ凹部Ｎに挿入したまま、吐出口３を含む二剤混合容器１を吐出具７から取り外して、身体凹部清浄剤Ｆを硬化させることができる
本発明の二剤混合容器は、へそ凹部のへそのゴマの除去以外にも、耳垢、手足の爪垢の除去等にも適用することができ、また、人間以外に、ペット等の動物にも適用することができる。
【図面の簡単な説明】
【００６７】
【図１】図１は、本発明の二剤混合容器の一実施形態を示す図で、（ａ）は斜視図、（ｂ）は（ａ）に示すＡ−Ｂ−Ｃ−Ｄ切断線で切断した部分断面図である。
【図２】図２は、本発明の二剤混合容器の一実施形態を示す図で、（ａ）は正面図、（ｂ）は底面図、（ｃ）は左側面図である。
【図３】図３は、図１に示す二剤混合容器における吐出口に吐出具を装着した状態を示す斜視図である。
【図４】図４は、吐出具を示す図で、（ａ）は正面図、（ｂ）は平面図、（ｃ）は底面図、（ｄ）は（ｃ）に示すＤ−Ｄ断面図である。
【図５】図５は、図１に示す二剤混合容器の一使用方法の一手順を示す図で、（ａ）は正面図、（ｂ）は底面図である。
【図６】図６は、図５に示す手順の次の手順を示す図で、（ａ）は正面図、（ｂ）は第１袋状領域を押圧した状態を示す底面図、（ｃ）は第２袋状領域を押圧した状態を示す底面図である。
【図７】図７は、図６に示す手順の次の手順を示す正面図である。
【図８】図８は、図７に示す手順の次の手順を示す正面図である。
【図９】図９は、図８に示す手順の次の手順を示す正面図である。
【図１０】図１０は、図９に示す手順の次の手順を示す正面図である。
【図１１】図１１は、図１０に示す手順の次の手順を示す正面図である。
【図１２】図１２は、本発明の二剤混合容器の別の実施形態を示す図で、（ａ）は斜視図、（ｂ）は正面図である。
【図１３】図１３は、本発明の二剤混合容器の更に別の実施形態を示す斜視図である。
【図１４】図１４は、別の形態の吐出具を、図１に示す二剤混合容器における吐出口に装着して使用している状態を示す図である。
【図１５】図１５は、更に別の形態の吐出具を示す図で、（ａ）は正面図〔図４（ａ）対応図〕、（ｂ）は図１に示す二剤混合容器における吐出口に装着して使用している状態を示す図である。
【符号の説明】
【００６８】
１  二剤混合容器
２Ａ  第１袋状領域
２Ｂ  第２袋状領域
３  吐出口
３１  吐出パイプ
３２  吐出口本体
４  基材シート
５  フィルム
５Ａ  第１収容部
５Ｂ  第２収容部
６１  領域間連通路
７  吐出具
７１  上端部先端
７３  筒状部
７３Ａ  上端部
７３Ｂ  下端部
７４  つば部
７５  フィン部
７６  剤排出口
７８  剤流入口
８Ａ  第１膨らみ代
８Ｂ  第２膨らみ代
８１Ａ  第１膨らみ代単位（内側）
８１Ｂ  第２膨らみ代単位（内側）
８２Ａ  第１膨らみ代単位（外側）
８２Ｂ  第２膨らみ代単位（外側）
８３Ａ  第１膨らみ代単位（上方）
８３Ｂ  第２膨らみ代単位（上方）
８４Ａ  第１膨らみ代単位（下方）
８４Ｂ  第２膨らみ代単位（下方）
８５Ａ  第１膨らみ代単位（前方）
８５Ｂ  第２膨らみ代単位（前方）
Ｃ  クリップ
Ｃ１  対向辺
Ｄ  汚れ
Ｆ  身体凹部清浄剤（混合組成物）
Ｆ１  第１剤
Ｆ２  第２剤
Ｈ  手指
Ｍ  衣類
Ｎ  へそ凹部
Ｓ１  領域間シール部
Ｓ２  外周シール部
【図１】
0004493560.tif 000002
【図２】
0004493560.tif 000003
【図３】
0004493560.tif 000004
【図４】
0004493560.tif 000005
【図５】
0004493560.tif 000006
【図６】
0004493560.tif 000007
【図７】
0004493560.tif 000008
【図８】
0004493560.tif 000009
【図９】
0004493560.tif 000010
【図１０】
0004493560.tif 000011
【図１１】
0004493560.tif 000012
【図１２】
0004493560.tif 000013
【図１３】
0004493560.tif 000014
【図１４】
0004493560.tif 000015
【図１５】
0004493560.tif 000016